(57)【要約】【課題】小口を覆う小口キャップを備える表面化粧材が、がたつき難い戸体を提供する。【解決手段】パネル体と、パネル体の表面に取り外し可能に取り付けられる表面化粧材と、表面化粧材の小口に嵌合されて当該小口を覆う小口キャップと、を有し、パネル体は、表面から突出し、表面に沿う所定方向に向かって表面との間隔が狭くなる傾斜を有して表面化粧材と係合する係合部と、表面化粧材が固定される固定部と、を有し、表面化粧材は、小口において固定部に当接される当接部を有し、小口キャップは、当接部が挿通される挿通孔を有し、表面化粧材は、係合部と表面とにより、見込み方向の移動が規制された状態で、挿通孔に挿通されている当接部が固定部に当接されて、所定方向とは反対の方向から固定部に挿通されているビスにより固定されている。【選択図】図３
2020122374.tif 000002
【特許請求の範囲】
【請求項１】
パネル体と、
前記パネル体の表面に取り外し可能に取り付けられる表面化粧材と、
前記表面化粧材の小口に嵌合されて当該小口を覆う小口キャップと、
を有し、
前記パネル体は、前記表面から突出し、前記表面に沿う所定方向に向かって前記表面との間隔が狭くなる傾斜を有して前記表面化粧材と係合する係合部と、前記表面化粧材が固定される固定部と、を有し、
前記表面化粧材は、前記小口において前記固定部に当接される当接部を有し、
前記小口キャップは、前記当接部が挿通される挿通孔を有し、
前記表面化粧材は、前記係合部と前記表面とにより、見込み方向の移動が規制された状態で、前記挿通孔に挿通されている前記当接部が前記固定部に当接されて、前記所定方向とは反対の方向から前記固定部に挿通されているビスにより固定されていることを特徴とする戸体。
【請求項２】
請求項１に記載の戸体であって、
前記表面化粧材は、前記当接部よりも前記表面とは反対側に位置し外部に露出する化粧面部を有し、
前記小口キャップは、前記表面化粧材が前記固定部に固定された状態で前記化粧面部の前記小口を覆い前記固定部よりも前記所定方向に突出するキャップ突出部を有していることを特徴とする戸体。
【請求項３】
請求項１または請求項２に記載の戸体であって、
前記パネル体は、前記係合部を有する係合部材と、前記固定部を有する固定部材と、を有し、
前記係合部材と、前記固定部材とは、前記パネル体を構成する部材のうちの単一の部材に取り付けられていることを特徴とする戸体。
【発明の詳細な説明】
【技術分野】
【０００１】
本発明は、パネル体の表面に取り外し可能に取り付けられる表面化粧材と表面化粧材の小口を覆う小口キャップとを有する戸体に関する。
【背景技術】
【０００２】
パネル体の表面に取り外し可能に取り付けられる表面化粧材と表面化粧材の小口を覆う小口キャップとを有する戸体としては、上下面にアルミニウム板等でなるキャップを備えた飾り板が、ドア本体に取り付けられているドアが知られている(例えば、特許文献１参照)。このドアは、ドア本体の室外側の面に設けられた、飾り板の取り付け縁に飾り板の左右の端部が当接され、取り付け縁に固定されているスプリングピンに、飾り板の後面のリブに設けた切欠が掛けられ、取り付け縁にねじ込むねじにより飾り板が取り付けられている。
【先行技術文献】
【特許文献】
【０００３】
【特許文献１】特開平５−２８７９５９号公報
【発明の概要】
【発明が解決しようとする課題】
【０００４】
上記従来のドアの飾り板は、後面のリブに設けた切欠が、取り付け縁に固定されているスプリングピンに掛けられているだけであり、飾り板の上下のキャップは、取り付け縁に固定されているビス止めされている。このため、飾り板は、取り付け縁、すなわちパネル体側には直接取り付けられていないので、取り付けた飾り板にがたつきが生じる虞があるという課題がある。
【０００５】
本発明は、かかる課題に鑑みてなされたものであり、その目的とするところは、小口を覆う小口キャップを備える表面化粧材が、がたつき難い戸体を提供することにある。
【課題を解決するための手段】
【０００６】
かかる目的を達成するために本発明の戸体は、パネル体と、前記パネル体の表面に取り外し可能に取り付けられる表面化粧材と、前記表面化粧材の小口に嵌合されて当該小口を覆う小口キャップと、を有し、前記パネル体は、前記表面から突出し、前記表面に沿う所定方向に向かって前記表面との間隔が狭くなる傾斜を有して前記表面化粧材と係合する係合部と、前記表面化粧材が固定される固定部と、を有し、前記表面化粧材は、前記小口において前記固定部に当接される当接部を有し、前記小口キャップは、前記当接部が挿通される挿通孔を有し、前記表面化粧材は、前記係合部と前記表面とにより、見込み方向の移動が規制された状態で、前記挿通孔に挿通されている前記当接部が前記固定部に当接されて、前記所定方向とは反対の方向から前記固定部に挿通されているビスにより固定されていることを特徴とする戸体である。
本発明の他の特徴については、本明細書及び添付図面の記載により明らかにする。
【発明の効果】
【０００７】
本発明によれば、小口を覆う小口キャップを備える表面化粧材が、がたつき難い戸体を提供することが可能である。
【図面の簡単な説明】
【０００８】
【図１】本発明にかかる扉の一例を示す外観図である。
【図２】扉の縦断面図である。
【図３】扉の構成を示す斜視図である。
【図４】パネル体に取り付けられている表面化粧材を示す水平断面図である。
【図５】表面化粧材とパネル体との係合部を示す図である。
【図６】表面化粧材の下端に設けられている小口キャップを示す斜視図である。
【図７】小口キャップが装着された表面化粧材の下端と載置部材とを示す図である。
【図８】パネル体に設けられた係合部材と表面化粧材との係合部状態を示す縦断面図である。
【発明を実施するための形態】
【０００９】
以下、本発明の一実施形態に係る戸体について図面を参照して説明する。
本実施形態では、戸体として、玄関に用いられる玄関扉を例に挙げて説明する。
【００１０】
以下の説明においては、玄関扉（以下、扉という）が建物に取り付けられている状態で屋外側から見たときに、上下となる方向を上下方向、左右となり扉の幅となる方向を左右方向、屋内外方向である奥行き方向を見込み方向として示す。扉の各部位であっても、また、扉を構成する各部材については単体の状態であっても、扉が取り付けられた状態で上下方向、左右方向、見込み方向等となる方向にて方向を特定して説明する。
【００１１】
扉１は、図１に示すように、採光窓１ａを備え扉１の本体をなすパネル体２と、パネル体２の屋外側の表面２ｃに採光窓１ａを避けて設けられる４本の表面化粧材３と、表面化粧材３の上下の小口３ａ(図３)に嵌合されて当該小口３ａを覆う小口キャップ４と、を有している。４本の表面化粧材３は、長手方向が上下方向に沿わされ、左右方向に並べて配置されている。扉１は右側の端部に設けられたヒンジ１ｂにより枠体（不図示）に回動自在に支持される。
【００１２】
パネル体２は、図２に示すように、パネル状に形成された芯材２ａと、芯材２ａの外周を囲むように設けられたフレーム２ｂと、芯材２ａの屋外側及び屋内側の面を覆いパネル体２の表面２ｃを形成する表面材２ｄと、を有しており、単独であっても使用可能である。尚、図面においては、同一図面において複数示されている部材の符号を一部省略している。
【００１３】
パネル体２の屋外側に位置する表面材２ｄには、図２、図３に示すように、表面化粧材３が係合される係合部材５がリベット等の固着具６により取り付けられ、表面化粧材３が載置される載置部材７がビス止めされている。係合部材５は、各表面化粧材３につき４つずつ設けられており、１本の表面化粧材３が係合される係合部材５は、上部側に２つと上下方向にける中央近傍に２つ設けられている。載置部材７は、各表面化粧材３につき１つずつ設けられており、パネル体２の下端に取り付けられている。
【００１４】
係合部材５は、パネル体２の表面２ｃに当接されて取り付けられる板状の係合部材取付部５ａと、係合部材取付部５ａの左右方向における両側の縁から屋外側に突出されている係合部としての係合片５ｂと、を有している。係合部材取付部５ａは、上下方向に長い長方形状をなし、上下の端部側にてパネル体２に取り付けられている。係合片５ｂは、係合部材取付部５ａの上下方向における中央から屋外側に向かって延出される係合部材延出部５ｃと、係合部材延出部５ｃの上下にそれぞれ上または下に向かって係合部材取付部５ａとの間隔が広がるように延出された傾斜部５ｄとを有している。
【００１５】
載置部材７は、パネル体２の表面２ｃに当接されて取り付けられる板状の載置部材取付部７ａと、載置部材取付部７ａの下端から屋外側に向かってほぼ水平に延出され表面化粧材３が載置される載置部７ｂと、を有している。載置部材取付部７ａには、後述する小口キャップ４との干渉を避ける為の開孔７ｃが設けられている。載置部７ｂには、表面化粧材３を固定するためのビス８が挿通される貫通孔７ｄが設けられている。載置部材７は、パネル体２に取り付けられた状態で、載置部７ｂの下面が、パネル体２の下面よりも僅かに上位置するようにパネル体２に取り付けられる。
【００１６】
表面化粧材３は、同一形状の断面が長手方向に続く押出成型材であり、図４、図５に示すように、屋外側に露出してパネル体２の表面２ｃと平行に配置される化粧面部としての化粧材表面部３ｂと、化粧材表面部３ｂの左右の縁からそれぞれ延出された化粧材側部３ｃと、化粧材表面部３ｂの左右方向における中央からパネル体２側に突出するビス螺合部３ｄと、左右に設けられた化粧材側部３ｃとビス螺合部３ｄの間にそれぞれ設けられた補強リブ３ｅと、を有している。尚、図４においては、小口キャップ４を除いて示している。
【００１７】
化粧材表面部３ｂの左右に設けられた化粧材側部３ｃは、化粧材表面部３ｂから離れるにつれてパネル体２との間隔が狭くなる傾斜を有する角部３ｆと、角部３ｆの先端から見込み方向に延出された見込み側部３ｇと、見込み側部３ｇのパネル体２側の縁から左右方向に沿って表面化粧材３の内側に延出されパネル体２と対面する側部対面部３ｈと、を有している。
【００１８】
ビス螺合部３ｄは、化粧材表面部３ｂから屋外側に延出された部位の先端が、円弧状をなして屋内側に長手方向に沿うスリット３ｊを有する形状をなしている。
【００１９】
各補強リブ３ｅは、化粧材表面部３ｂから屋内側に延出されたリブ本体３ｋと、リブ本体の先端から左右方向に沿って各々化粧材側部３ｃ側に延出されてパネル体２と対面するリブ対面部３ｌと、各々のリブ本体３ｋからビス螺合部３ｄ側に延出されて係合部材５と係合する被係合部３ｍを有する被係合片３ｎと、を有している。各被係合片３ｎは、表面化粧材３がパネル体２に装着された状態で、パネル体２と見込み方向に間隔が空く位置に設けられている。
【００２０】
被係合部３ｍは、被係合片３ｎの先端部からリブ本体３ｋ側に窪ませて形成された切り欠き部であり、上側の窪み量より、下側の窪み量の方が大きく形成されている。窪み量が大きな、下側の窪み部分３ｏの上下方向の幅は、係合片５ｂの上下方向の長さよりも広く形成されている。また、被係合部３ｍは、表面化粧材３をパネル体２に取り付けたときに、左右方向に並ぶ２つの係合部材５が、左右に設けられた被係合部３ｍの上側の窪み部分３ｐの間に配置されるように形成されている。
【００２１】
小口キャップ４は、図６、図７に示すように、表面化粧材３の小口３ａが当接されるキャップ本体４ａと、キャップ本体４ａから突出して表面化粧材３に嵌合される４つの嵌合部４ｂと、キャップ本体４ａの中央側にて小口３ａが当接される側に窪むキャップ凹部４ｃと、を有している。キャップ本体４ａは、取り付けたときにキャップ本体４ａのエッジが露出しないように、小口３ａ当接される部位よりも僅かに外側に張り出している。
【００２２】
嵌合部４ｂは、キャップ本体４ａの小口３ａが当接される側(以下、内側という)の面から表面化粧材３の長手方向に突出している。４つの嵌合部４ｂは、左右に設けられている化粧材側部３ｃと補強リブ３ｅとの間に２つの嵌合部４ｂが嵌合され、化粧材表面部３ｂと各補強リブ３ｅの被係合片３ｎとの間に２つの嵌合部４ｂが嵌合されて、小口キャップ４が表面化粧材３に取り付けられている。
【００２３】
キャップ凹部４ｃは、キャップ本体４ａの左右方向における中央側の部位に設けられており、図７に示すように、嵌合部４ｂが設けられている面とは反対側(以下、外側という)の面が表面化粧材３側に窪ませて形成されている。このため、キャップ凹部４ｃの左右方向の端には、キャップ本体４ａから表面化粧材３側に突出する側壁部４ｄが設けられており、側壁部４ｄの突出した先端同士を繋いで水平な面をなす連結板部４ｅを有しており、連結板部４ｅの室外側の縁もまたキャップ本体４ａと繋がっている。
【００２４】
連結板部４ｅには、小口キャップ４が表面化粧材３に装着された状態で、表面化粧材３の小口３ａのビス螺合部３ｄを除く部位がキャップ本体４ａに当接されたときに、ビス螺合部３ｄが挿通される挿通孔４ｆが設けられている。このとき、連結板部４ｅの外側の面４ｇは、キャップ本体４ａの小口３ａが当接される内側の面４ｈよりも、表面化粧材３側に位置している。すなわち、小口キャップ４が表面化粧材３に装着されたときに、ビス螺合部３ｄが連結板部４ｅよりも外側に僅かに突出するように構成されている。
【００２５】
キャップ凹部４ｃには、小口キャップ４が装着された表面化粧材３がパネル体２に取り付けられるときに、パネル体２に取り付けられている載置部材７の載置部７ｂが収容される。キャップ凹部４ｃに載置部材７の載置部７ｂが収容された状態では、キャップ本体４ａの、キャップ凹部４ｃよりも屋外側に位置する部位４ｉが、載置部７ｂよりも下方に突出しており、載置部７ｂの屋外側を覆っている。ここで、キャップ本体４ａの、キャップ凹部４ｃよりも屋外側に位置する部位４ｉがキャップ突出部に相当する。
【００２６】
表面化粧材３がパネル体２に取り付けられたときに載置部材７の載置部材取付部７ａと、連結板部４ｅとが緩衝しないように、連結板部４ｅの屋内側となるパネル体２側の縁は、キャップ本体４ａのパネル体２側の縁よりも屋外側に位置している。
【００２７】
連結板部４ｅに設けられた挿通孔４ｆにより連結板部４ｅが左右に分断されないように、キャップ凹部４ｃよりも内側に突出させて左右の連結板部４ｅを繋ぐ連結片４ｊが設けられている。連結片４ｊは、連結板部４ｅよりもパネル体２側に突出している。このため、表面化粧材３がパネル体２に取り付けられたときには、載置部材７の載置部材取付部７ａに設けられている開孔７ｃに配置されるように構成されている。
【００２８】
次に、表面化粧材３の取り付け方法を説明する。
まず、パネル体２には、予め係合部材５と載置部材７とを取り付けておく。また、表面化粧材３には、上及び下の小口３ａにそれぞれ小口キャップ４を嵌合しておく。
【００２９】
次に、表面化粧材３を屋外側からパネル体２の屋外側面に対向させて配置し、表面化粧材３をパネル体２に近づけつつ表面化粧材３の被係合部３ｍに、パネル体２に設けられている係合片５ｂを挿入する。このとき、係合片５ｂが被係合部３ｍの下側の窪み部分３ｏに挿入されるように、表面化粧材３はパネル体２に固定される位置よりも高い位置でパネル体２に近づける。
【００３０】
次に、表面化粧材３をパネル体２とほぼ平行になるように近接させ、下方に降ろしパネル体２に設けられている載置部材７の載置部７ｂ上に載置する。このとき、下側の小口キャップ４のキャップ凹部４ｃに載置部７ｂが収容され、載置部７ｂの上面にビス螺合部３ｄの小口３ａが当接される。また、このとき、被係合部３ｍの上縁部３ｑが、係合片５ｂの傾斜部５ｄに接触し、パネル体２側に案内されつつ表面化粧材３が降下する。ここで、載置部材７が、パネル体２に設けられて表面化粧材３が固定される固定部材に相当し、載置部７ｂが、表面化粧材３が固定される固定部に相当し、ビス螺合部３ｄが、固定部材に当接される当接部に相当する。また、本実施形態においては、下に向かう方向が、表面に沿う所定方向に相当する。
【００３１】
次に、載置部７ｂの下方から貫通孔７ｄにビス８を挿通させ表面化粧材３のビス螺合部３ｄに螺合して表面化粧材３を固定することにより表面化粧材３が取り付けられた扉１が完成する。このとき、表面化粧材３は、ビス８により下方に引き寄せられることにより、被係合部３ｍの上縁部３ｑが係合片５ｂの傾斜部５ｄと係合し、表面化粧材３がパネル体２側に案内されつつ下方に移動する。
【００３２】
表面化粧材３は、傾斜部５ｄに案内されて下方に移動しつつパネル体２側にも移動することによりパネル体２側に押圧され、係合片５ｂとパネル体２の表面２ｃとの間に挟持されて見込み方向の移動が不能となる。このため、本実施形態の係合片５ｂの上側に設けられている傾斜部５ｄは、表面化粧材３が載置部７ｂに載置された状態で被係合部３ｍの上縁部３ｑが係合する高さよりも下側では、パネル体２と対面するリブ対面部３ｌと、被係合部３ｍが設けられている被係合片３ｎとの見込み方向の間隔Ｗ１(図４)よりも、パネル体２の表面２ｃとの間隔Ｗ２(図８)が狭くなるように構成されている。
【００３３】
本実施形態の扉１によれば、表面化粧材３は、係合片５ｂとパネル体２の表面２ｃとにより、見込み方向の移動が規制された状態で、小口キャップ４の挿通孔４ｆに挿通されているビス螺合部３ｄが載置部７ｂに当接されて載置部材７に固定されている。すなわち、表面化粧材３は、見込み方向の移動が規制された状態でビス螺合部３ｄが載置部７ｂに直接固定されるので、小口３ａを覆う小口キャップ４を備える表面化粧材３が、がたつき難い扉１を提供することが可能である。
【００３４】
このとき、パネル体２の表面２ｃから突出している係合片５ｂの、下方に向かって表面２ｃとの間隔が狭くなる傾斜部５ｄが表面化粧材３に設けられている被係合部３ｍの上縁部３ｑと係合し、表面化粧材３が下方から上方に向かって載置部材７に挿通されているビス８により固定されているので、載置部材７に挿通されているビス８をビス螺合部３ｄに螺合することにより表面化粧材３は、下方に引き寄せられる。
【００３５】
表面化粧材３は、下方に引き寄せられることにより、傾斜部５ｄにより傾斜部５ｄとパネル体２の表面２ｃとの間隔Ｗ２が狭くなる位置に移動する。このため、載置部材７に挿通されているビス８をビス螺合部３ｄに螺合することにより表面化粧材３が、傾斜部５ｄとパネル体２の表面２ｃとの間に挟持されるので、表面化粧材３の見込み方向の移動を規制することが可能である。
【００３６】
また、表面化粧材３が載置部材７に固定された状態では、表面化粧材３の小口３ａが小口キャップ４により覆われるとともに、キャップ本体４ａの、キャップ凹部４ｃよりも屋外側に位置する部位４ｉにより、載置部７ｂも表面２ｃとは反対側となる屋外側から覆われる。このため、表面化粧材３の小口３ａ及び載置部７ｂは、外部から視認し難いので、より意匠性に優れた扉１を提供することが可能である。
【００３７】
また、パネル体２に取り付けられる係合部材５と載置部材７は、パネル体２を構成する部材のうちの単一の部材である表面材２ｄに設けられている。このため、単一の表面材２ｄに係合部材５及び載置部材７の取り付け孔を、例えばＮＣ加工等により高精度に設ける
ことができるので、係合部材５と載置部材７をより精度良くパネル体２に取り付けることが可能である。このため、表面化粧材３が係合片５ｂに係合されてビス螺合部３ｄが載置部７ｂに当接されて固定したときに、表面化粧材３のがたつきをより確実に抑えることが可能である。
【００３８】
上記実施形態においては、取り付けられる姿勢に配置したパネル体２に小口キャップ４が装着された表面化粧材３を取り付ける例について説明したが、この限りではない。例えば、パネル体の上下が水平方向に沿うように倒した状態で取り付けてもよい。また、係合片の下側の傾斜部と被係合部とが係合しパネル体の上端に取り付けた載置部材に小口キャップが装着された表面化粧材を取り付けても構わない。また、押出成型材でなる表面化粧材を水平方向に沿わせて配置しても構わない。
【００３９】
本実施形態の係合部材５は、係合片５ｂを２つ備えているが、少なくとも１つの係合片５ｂを有していればよい。また、各係合片５ｂは、下側の傾斜部５ｄを備えていなくとも構わない。
【００４０】
また、上記実施形態においては、戸体をして玄関扉１を例に挙げて説明したがこれに限らず、玄関扉以外の扉であっても、また、引き戸などの障子等であっても構わない。
【００４１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４２】
本実施形態には、少なくとも以下の発明が含まれる。
パネル体と、前記パネル体の表面に取り外し可能に取り付けられる表面化粧材と、前記表面化粧材の小口に嵌合されて当該小口を覆う小口キャップと、を有し、前記パネル体は、前記表面から突出し、前記表面に沿う所定方向に向かって前記表面との間隔が狭くなる傾斜を有して前記表面化粧材と係合する係合部と、前記表面化粧材が固定される固定部と、を有し、前記表面化粧材は、前記小口において前記固定部に当接される当接部を有し、前記小口キャップは、前記当接部が挿通される挿通孔を有し、前記表面化粧材は、前記係合部と前記表面とにより、見込み方向の移動が規制された状態で、前記挿通孔に挿通されている前記当接部が前記固定部に当接されて、前記所定方向とは反対の方向から前記固定部に挿通されているビスにより固定されていることを特徴とする戸体である。
【００４３】
このような戸体によれば、表面化粧材は、係合部とパネル体の表面とにより、見込み方向の移動が規制された状態で、小口キャップの挿通孔に挿通されている当接部が固定部に当接されて固定されている。すなわち、表面化粧材は、見込み方向の移動が規制された状態で当接部が固定部に直接固定されるので、小口を覆う小口キャップを備える表面化粧材が、がたつき難い戸体を提供することが可能である。このとき、パネル体の表面から突出して表面に沿う所定方向に向かって表面との間隔が狭くなる傾斜を有する係合部が表面化粧材と係合し、表面化粧材は、所定方向とは反対の方向から固定部に挿通されているビスにより固定されているので、固定部に挿通されているビスを当接部に螺合することにより表面化粧材は、所定方向に引き寄せられる。
【００４４】
表面化粧材は、所定方向に引き寄せられることにより、係合部の傾斜により係合部とパネル体の表面との間隔がより狭くなる位置に移動する。このため、固定部に挿通されているビスを当接部に螺合することにより表面化粧材が、係合部とパネル体の表面との間に挟持されるので、表面化粧材の見込み方向の移動を規制することが可能である。
【００４５】
かかる戸体であって、前記表面化粧材は、前記当接部よりも前記表面とは反対側に位置し外部に露出する化粧面部を有し、前記小口キャップは、前記表面化粧材が前記固定部に固定された状態で前記化粧面部の前記小口を覆い前記固定部よりも前記所定方向に突出するキャップ突出部を有していることを特徴とする。
【００４６】
このような戸体によれば、表面化粧材が固定部に固定された状態では、表面化粧材の小口が小口キャップにより覆われるとともに、小口キャップのキャップ突出部により、当接部も表面とは反対側から覆われている。このため、表面化粧材の小口及び固定材は、外部から視認し難いので、より意匠性に優れた戸体を提供することが可能である。
【００４７】
かかる戸体であって、前記パネル体は、前記係合部を有する係合部材と、前記固定部を有する固定部材と、を有し、前記係合部材と、前記固定部材とは、前記パネル体を構成する部材のうちの単一の部材に取り付けられていることを特徴とする。
【００４８】
このような戸体によれば、パネル体に取り付けられる固定部材と係合部材は、パネル体を構成する部材のうちの単一の部材に設けられているので、固定部材と係合部材をより精度良くパネル体に取り付けることが可能である。このため、表面化粧材が係合部に係合されて当接部が固定部に当接されて固定したときに、表面化粧材のがたつきをより確実に抑えることが可能である。
【符号の説明】
【００４９】
１  扉、２  パネル体、２ｃ  パネル体の表面、２ｄ  表面材、
３  表面化粧材、３ａ  小口、３ｂ  化粧材表面部、
３ｄ  ビス螺合部、３ｍ  被係合部、３ｑ  被係合部の上縁部、
４  小口キャップ、４ｆ  挿通孔、
４ｉ  キャップ凹部よりも屋外側に位置する部位、
５  係合部材、５ｂ  係合片、５ｄ  傾斜部、
７  載置部材、７ｂ  載置部、
８  ビス、
【図１】
2020122374.tif 000003
【図２】
2020122374.tif 000004
【図３】
2020122374.tif 000005
【図４】
2020122374.tif 000006
【図５】
2020122374.tif 000007
【図６】
2020122374.tif 000008
【図７】
2020122374.tif 000009
【図８】
2020122374.tif 000010